(57)【要約】【課題】繰り返し使用しても破損しにくく、製造も容易な包茎矯正具を提供する。【解決手段】包茎矯正具１は円錐台状の筒部材２を備え、筒部材２は、可撓性を有し、一方側の端部に形成されている第二開口部２２と、他方側の端部に形成されている第一開口部２１と、一方側より他方側寄りに形成されている孔２３とを備えている。包茎矯正具１の第一開口部２１を亀頭の側から陰茎に挿入し、第二開口部２２に亀頭を覆う外皮を引っ張らせる。第一開口部２１を陰茎の根元迄挿入する。孔２３に陰嚢を挿入し、包茎矯正具１の下側に陰嚢を露出する。これにより、第二開口部２２は、亀頭を覆っていた外皮を引っ張った状態で維持し、亀頭を露出させる。【選択図】 図１
0003215789.tif 000002
【実用新案登録請求の範囲】
【請求項１】
一方側が前記一方側の反対側である他方側より先細りの円錐台状の筒部材を備え、
前記筒部材は、
可撓性を有し、
前記他方側の端部に形成されている第一開口部と、
前記一方側の端部に形成されている第二開口部と、
前記一方側より前記他方側寄りに形成されている孔と、
を備えることを特徴とする包茎矯正具。
【請求項２】
前記第一開口部には、前記他方側の前記端部を巻回して形成された第一端部が設けられ、
前記第二開口部には、前記一方側の前記端部を巻回して形成された第二端部が設けられていることを特徴とする請求項１に記載の包茎矯正具。
【請求項３】
前記孔は、円形状に形成されていることを特徴とする請求項１又は２に記載の包茎矯正具。
【考案の詳細な説明】
【技術分野】
【０００１】
本考案は、陰茎に装着して仮性包茎を矯正する包茎矯正具に関する。
【背景技術】
【０００２】
従来、包茎矯正具は各種提案されている。例えば、特許文献１に記載された包茎矯正具はリングと両端部をリングの左右に固着したバンドから構成されるゴム製の矯正具である。この包茎矯正具は、リングを陰茎に係合し、バンドを陰嚢に係止して使用される。
【先行技術文献】
【特許文献】
【０００３】
【特許文献１】実登３００８７３４号公報
【考案の概要】
【考案が解決しようとする課題】
【０００４】
特許文献１に記載の包茎矯正具は、リング及びバンドはゴム製であるので、装着時に引き延ばし可能である。しかしながら、リング及びバンドは、細い紐状であるので、繰り返し使用すると破損しやすいという問題点があった。また、製造も容易にしたいという要望もあった。
【０００５】
本考案は、上記課題を解決するために成されたものであり、繰り返し使用しても破損しにくく、製造も容易な包茎矯正具を提供することを目的とする。また、陰茎を軽く圧迫することにより、勃起量の増大と勃起時間の延長を期待することができる包茎矯正具を提供することを目的とする。
【課題を解決するための手段】
【０００６】
本考案の一態様の包茎矯正具は、一方側が前記一方側の反対側である他方側より先細りの円錐台状の筒部材を備え、前記筒部材は、可撓性を有し、前記他方側の端部に形成されている第一開口部と、前記一方側の端部に形成されている第二開口部と、前記一方側より前記他方側寄りに形成されている孔とを備えることを特徴とする。
【０００７】
陰茎の太さは統計上、ある一定の太さに集中しており、陰茎の長さと比較して個人差が少ない。包茎矯正具の第二開口部の径は、第一開口部から第二開口部に向かって先細りするので、第一開口部より径が小さい。従って、第二開口部は、陰茎の長さに関係なく、亀頭を覆う外皮を引っ張り、亀頭を露出した状態を維持できる。また、包茎矯正具の筒部材は可撓性を有する部材であれば良く、筒部材は、第一開口部、第二開口部、及び孔を備えた簡易な構造であり、紐状のものに比べて耐久性がある。さらに、製造用の金型も一つで良く、製造も容易である。
【０００８】
前記第一開口部には、前記他方側の前記端部を巻回して形成された第一端部が設けられ、前記第二開口部には、前記一方側の前記端部を巻回して形成された第二端部が設けられていてもよい。別の部材を固着して第一開口部と第二開口部を形成しないので、包茎矯正具の製造を簡略化でき、製造コストを軽減できる。
【０００９】
前記孔は、円形状に形成されてもよい。孔は円形状であるので、陰嚢を挿入しても痛みを与えない。
【図面の簡単な説明】
【００１０】
【図１】包茎矯正具１の底面図である。
【図２】包茎矯正具１の右側面図である。
【図３】包茎矯正具１の斜視図である。
【図４】包茎矯正具１を使用者が着用した状態を示す図である。
【考案を実施するための形態】
【００１１】
以下、図面を参照して、本考案の一実施の形態の包茎矯正具１を説明する。なお、以下の説明では、左右、前後、上下などの記載は、着用者にとっての方向を意味する。従って、図１における前、後、右、左を包茎矯正具１の前、後、左、右とし、紙面の表側を下、紙面の裏側を上とする。
【００１２】
図１〜図３に示すように、包茎矯正具１は、筒部材２で構成される。筒部材２は、前側が後側より先細りした円錐台状の筒状に形成されている。筒部材２は、ゴム、シリコン等の弾性部材であり、可撓性を有する。
【００１３】
筒部材２は、第一開口部２１と第二開口部２２を有する。第一開口部２１は、図１〜図３に示すように、筒部材２の後側端部に形成されている。第一端部２１Ａは、筒部材２の後側端部を巻回することで、第一開口部２１の縁として形成されている。第二開口部２２は、図１、図２に示すように、筒部材２の前側端部に形成されている。第二端部２２Ａは、筒部材２の前側端部を巻回することで、第二開口部２２の縁として形成されている。
【００１４】
第一開口部２１の開口径は、第二開口部２２の開口径より大きく、装着時に陰茎４０の根元側になる（図４参照）。第一端部２１Ａは、可撓性を有するので、陰茎４０の根元側を適度に締付、筒部材２が外れたり、又は、ズレたりするのを防止する。
【００１５】
図４に示すように、第二開口部２２は、装着時に亀頭４１側になる。第二開口部２２の開口径は、第一開口部２１の開口径より小さいので、筒部材２を亀頭４１から陰茎４０の根元方向に装着する際に、第二開口部２２の第二端部２２Ａが亀頭４１を覆う外皮を後側（陰茎４０の根元側）に引っ張る。第二端部２２Ａは、可撓性を有するので、亀頭４１を覆う外皮を後側（陰茎４０の根元側）に引っ張った状態を維持し、筒部材２が外れたり、又は、ズレたりするのを防止する。
【００１６】
筒部材２は、図１〜３に示すように、側面に第二開口部２２より第一開口部２１側に円形状の孔２３を有する。孔２３は、陰嚢５０を挿入するための孔である。孔２３の周囲には、縁部２３Ａが形成されている。縁部２３Ａは横断面円柱状である。
【００１７】
図４を参照して、包茎矯正具１の使用方法を説明する。使用時は、始めに、包茎矯正具１の第一開口部２１を亀頭４１の側から陰茎４０に挿入する。挿入時に、第二開口部２２に亀頭４１を覆う外皮を引っ張らせる。第一開口部２１を陰茎４０の根元迄挿入する。この際、孔２３に陰嚢５０を挿入し、包茎矯正具１の下側に陰嚢５０を露出する。これにより、第二開口部２２は、亀頭４１を覆っていた外皮を引っ張った状態で維持し、亀頭４１を露出させる。
【００１８】
なお、筒部材２の径と長さは、例えば、日本人の大人の陰茎４０の長さ及び太さの平均を基準として決めれば良い。
【００１９】
陰茎４０の太さは統計上、ある一定の太さに集中しており、陰茎４０の長さと比較して個人差が少ない。包茎矯正具１の第二開口部２２の第二端部２２Ａは、陰茎４０の長さに関係なく、亀頭４１を覆う外皮を引っ張り、亀頭４１を露出した状態を維持する。また、包茎矯正具１の筒部材２は可撓性を有する部材であれば良く、筒部材２は、第一開口部２１、第二開口部２２、及び孔２３を備えた簡易な構造であり、金型も一つで良く、製造も容易である。また、筒部材２の横断面と孔２３は円形状であるので、陰茎４０や陰嚢５０に当たっても人体に痛みを与えない。
【００２０】
また、第一端部２１Ａ及び第二端部２２Ａは、筒部材２の材質が巻回されているので、陰茎４０や陰嚢５０に当たっても人体に痛みを与えない。また、縁部２３Ａは横断面円柱状であるので、陰茎４０や陰嚢５０に当たっても人体に痛みを与えない。さらに、包茎矯正具１の筒部材２は可撓性を有する円筒面になっているので、紐状のものに比べて耐久性を有する。また、第一端部２１Ａ、及び第二端部２２Ａを筒部材２の端部を巻回して構成しているので、第一開口部２１及び第二開口部２２が裂けるのを防止できる。
【００２１】
また、筒部材２、第一開口部２１、及び第二開口部２２は、陰茎４０を軽く圧迫するので、陰茎４０からの血流の逆流を防止して勃起量の増大と勃起時間の延長を期待することができる。
【００２２】
以上、本考案の一実施の形態を説明したが、これらはあくまで例示にすぎず、本考案はこれらに限定されるものではない。例えば、筒部材２の横断面は、円形状に限られない。例えば、筒部材２の横断面は、楕円形状でもよいし、角を面取りした角状でもよい。また、孔２３は、円形状に限られず、楕円形状、多角形状でもよい。
【符号の説明】
【００２３】
１    包茎矯正具
２    筒部材
２１  第一開口部
２１Ａ  第一端部
２２  第二開口部
２２Ａ  第二端部
２３  孔
【図１】
0003215789.tif 000003
【図２】
0003215789.tif 000004
【図３】
0003215789.tif 000005
【図４】
0003215789.tif 000006